(57)【要約】      （修正有）【課題】放熱フィンモジュールと絶縁部材との接続を維持可能な照明用ＬＥＤ支持装置を提供する。【解決手段】放熱フィンモジュール１０を構成する複数の放熱フィン１は、フィン部１６、挿入部１１、規制部１２などからなる。放熱フィン１の絶縁部材３に接続する側の端部に形成される挿入部１１は、絶縁部材３の挿入孔３４に挿入される。挿入部１１の径内方向に設けられる規制部１２は、フィン部１６に対して屈曲するように形成され、挿入部１１側とは反対側に規制面１２１を有する。放熱フィン１を絶縁部材３に取り付けるとき、挿入部１１を挿入孔３４に挿入すると、規制部１１の規制面１２１が係合部３３の爪部３３１に係合し、絶縁部材３に対する放熱フィン１の軸方向の移動が規制され、放熱フィンモジュール１０と絶縁部材３との接続を確実に維持することができる。【選択図】図１
0003178709.tif 000002
【実用新案登録請求の範囲】
【請求項１】
ＬＥＤを搭載する支持部材と、
前記支持部材の周方向を囲むように設けられる複数の放熱フィンから構成される放熱フィンモジュールと、
一方の端部に前記放熱フィンが挿入される複数の挿入孔、および前記放熱フィンと係合する複数の係合部が形成される絶縁部材と、
を備え、
前記放熱フィンは、前記挿入孔に挿入される挿入部、および前記挿入部が前記挿入孔に挿入されるとき前記係合部に係合することで前記放熱フィンが前記絶縁部材の軸方向に移動することを規制する規制部が形成されることを特徴とする照明用ＬＥＤ支持装置。
【請求項２】
前記規制部は、前記支持部材の径外方向に突出するように設けられる前記放熱フィンのフィン部に対して屈曲し、
前記規制部の前記フィン部に対する屈曲の角度は９０°であることを特徴とする請求項１に記載の照明用ＬＥＤ支持装置。
【請求項３】
前記規制部は、前記絶縁部材の前記支持部材が接続する開口を囲むように設けられることを特徴とする請求項１に記載の照明用ＬＥＤ支持装置。
【請求項４】
前記規制部は、前記絶縁部材の前記支持部材が接続する開口の形状に合わせた湾曲形状を有することを特徴とする請求項１に記載の照明用ＬＥＤ支持装置。
【請求項５】
前記挿入部は、前記挿入孔を形成する縁部に当接する第１段差面を備えることを特徴とする請求項１に記載の照明用ＬＥＤ支持装置。
【請求項６】
前記放熱フィンは、前記規制部の近傍に前記挿入部の先端からの距離が異なるように形成される第２段差面および第３段差面を有し、
前記第２段差面は、前記支持部材に当接し、
前記第３段差面は、前記絶縁部材の前記係合部に当接する前記規制部の規制面と同じ高さを有することを特徴とする請求項１に記載の照明用ＬＥＤ支持装置。
【請求項７】
前記放熱フィンは、径方向外側の端面を覆うカバーを有することを特徴とする請求項１に記載の照明用ＬＥＤ支持装置。
【請求項８】
前記放熱フィンの前記絶縁部材と接続する側とは反対側の端部には、径外方に向かって嵌合溝が形成され、
前記嵌合溝には超音波ホットメルトにより透明カバーと接続するリングが嵌合することを特徴とする請求項１に記載の照明用ＬＥＤ支持装置。
【考案の詳細な説明】
【技術分野】
【０００１】
本考案は、絶縁部材と放熱フィンとが確実に接続する照明用ＬＥＤ支持装置に関する。
【背景技術】
【０００２】
従来、照明用ＬＥＤ支持装置は、図１２および図１３に示すように、放熱フィンモジュール１００、支持部材２００、および絶縁部材３００を備える。放熱フィンモジュール１００は、支持部材２００を囲むように設けられる複数の放熱フィン１０１から構成され、各放熱フィン１０１の絶縁部材３００側の先端には結束部１０２が設けられる。絶縁部材３００は開口の内壁に環状の嵌合溝３０１を設けられており、結束部１０２が嵌合溝３０１に嵌合することにより、放熱フィンモジュール１００が絶縁部材３００に嵌合する。
【０００３】
しかしながら、嵌合溝３０１と結束部１０２とは、複数箇所の点接触によって嵌合支持されるだけであり、各放熱フィン１０１は側面のみで絶縁部材３００と接触しているため、その接触面積は非常に小さく、放熱フィン１０１は容易に変形を起こす。また、放熱フィンモジュール１００と絶縁部材３００とは、軸方向への移動を防止するように固定されていないため、絶縁部材３００と放熱フィンモジュール１００とは相対回転するおそれがあり、ＬＥＤ照明装置の損傷を引き起こしやすい。
【０００４】
特許文献１に記載のダイオード照明具は、弾性部材を備え、当該弾性部材によって放熱フィンの結束部を締め付け、放熱フィンを絶縁部材の嵌合溝に嵌合させることにより接続する。しかしながら、各放熱フィンと絶縁部材とは側面のみで接触しており、軸方向への移動を防止するように固定されていない。
【先行技術文献】
【特許文献】
【０００５】
【特許文献１】台湾実用新案第Ｍ４１９０３３号明細書
【考案の概要】
【考案が解決しようとする課題】
【０００６】
本考案の主な目的は、放熱フィンモジュールと絶縁部材との接続を維持可能な照明用ＬＥＤ支持装置を提供することにある。
【課題を解決するための手段】
【０００７】
本考案の照明用ＬＥＤ支持装置は、放熱フィンモジュール、支持部材、および絶縁部材を備える。支持部材は、複数のＬＥＤから構成される発光基板を搭載する。放熱フィンモジュールは、支持部材の周方向を囲むように設けられる複数の放熱フィンから構成される。絶縁部材は、一方の端部に放熱フィンが挿入される複数の挿入孔、および放熱フィンと係合する複数の係合部が形成される。放熱フィンは、挿入孔に挿入される挿入部、および挿入部が挿入孔に挿入されるとき係合部に係合することで放熱フィンが絶縁部材の軸方向に移動することを規制する規制部が形成される。
【０００８】
放熱フィンと絶縁部材とを組み付けるとき、挿入部が挿入孔に挿入されると、規制部が係合部に係合する。これにより、放熱フィンの絶縁部材の軸方向への移動を規制し、放熱フィンモジュールと絶縁部材との接続を維持できる。また、挿入部を挿入孔に挿入するだけで放熱フィンモジュールと絶縁部材との接続を維持できるため、迅速に放熱フィンモジュールと絶縁部材とを接続することができる。
【０００９】
本考案の照明用ＬＥＤ支持装置では、放熱フィンの規制部は、放熱フィンのフィン部に対して屈曲し、その屈曲の角度はフィン部に対して９０°となっている。これにより、放熱フィンの規制部と絶縁部材の係合部とが係合するとき、放熱フィンおよび絶縁部材は、互いの力が作用する面（以下、「作用面」という）で当接する。このとき、作用面の面積は、点で接触する場合に比べて大きくなるため、放熱フィンモジュールと絶縁部材との接続をより確実に維持できる。
【００１０】
また、複数の規制部は絶縁部材の支持部材が接続する開口を囲むように環状に設けられる。これにより、作用面の面積がさらに増加し、放熱フィンモジュールと絶縁部材との接続を確実に維持できる。
【００１１】
また、本考案の照明用ＬＥＤ支持装置では、複数の放熱フィンが有する複数の挿入部全てが一度に対応する絶縁部材の挿入孔に挿入される。複数の挿入部が同時に絶縁部材の挿入孔に挿入されるため、放熱フィンと絶縁部材との周方向への回転が規制される。これにより、本考案の照明用ＬＥＤ支持装置を用いるＬＥＤ照明装置は、絶縁部材の回転による破損を防止することができる。
【００１２】
本考案の照明用ＬＥＤ支持装置は、放熱フィンモジュールと絶縁部材との接続が確実に維持されるため、放熱フィンの変形を防止できるとともに絶縁部材の相対回転によるＬＥＤ照明装置の破壊を防ぐことができる。
【図面の簡単な説明】
【００１３】
【図１】本考案の一実施形態による照明用ＬＥＤ支持装置の分解斜視図である。
【図２】本考案の一実施形態による照明用ＬＥＤ支持装置の斜視図である。
【図３】本考案の一実施形態による照明用ＬＥＤ支持装置の図２と異なる斜視図である。
【図４】本考案の一実施形態による照明用ＬＥＤ支持装置の放熱フィンの斜視図である。
【図５】本考案の一実施形態による照明用ＬＥＤ支持装置の拡大断面図である。
【図６】本考案の一実施形態による照明用ＬＥＤ支持装置の図５と異なる拡大断面図である。
【図７】本考案の一実施形態による照明用ＬＥＤ支持装置の図５、６と異なる拡大断面図である。
【図８】本考案の一実施形態による照明用ＬＥＤ支持装置の断面図である。
【図９】本考案の一実施形態による照明用ＬＥＤ支持装置の放熱フィンの配置を示す模式図である。
【図１０】本考案の一実施形態による照明用ＬＥＤ支持装置の分解斜視図である。
【図１１】本考案の一実施形態による照明用ＬＥＤ支持装置を用いたＬＥＤ照明装置の分解斜視図である。
【図１２】従来の照明用ＬＥＤ支持装置の分解斜視図である。
【図１３】従来の照明用ＬＥＤ支持装置の断面図である。
【考案を実施するための形態】
【００１４】
以下、本考案の実施形態を図面に基づいて説明する。
【００１５】
（一実施形態）
一実施形態による照明用ＬＥＤ支持装置５は、支持部材２、放熱フィンモジュール１０、および絶縁部材３を備える。
【００１６】
支持部材２には、複数のＬＥＤから構成された図示しない発光基板、またはＬＥＤ発光ユニットが搭載可能な端面２１が形成されている。
【００１７】
放熱フィンモジュール１０は、複数の放熱フィン１から構成される。放熱フィン１は、フィン部１６、挿入部１１、規制部１２などから構成されている。放熱フィン１は、支持部材２の側面に形成された溝２２に挿入され、支持部材２を囲むように設けられる。フィン部１６は、略三角形状をなしており、支持部材２の径外方向に突出するように設けられる。放熱フィン１の絶縁部材３に嵌合する側の端部には、絶縁部材３に形成される挿入孔３４に挿入される挿入部１１、および規制部１２が形成されている（図４参照）。また、放熱フィン１の径方向外側には端面を覆うカバー部１３が設けられている。
【００１８】
規制部１２は、挿入部１１の径内方向に設けられる。規制部１２は、フィン部１６に対して９０°の角度で屈曲している。規制部１２は、図９に示すように、絶縁部材３の支持部材２が接続する開口３１に対して環状に設けられている。このとき、規制部１２は、開口３１の形状に合わせた湾曲形状をなしている。
【００１９】
規制部１２は、挿入部１１とは反対側の端部に規制面１２１を備える。また、フィン部１６の規制部１２が接続する箇所には、挿入部１１の先端からの距離が異なる第２段差面１２２および第３段差面１２３が形成される。第３段差面１２３は、規制部１２の規制面１２１と同じ高さを有しており、第２段差面１２２は第３段差面１２３に比べて挿入部１１の先端から離れる方向に形成されている。挿入部１１には、第２段差面１２２、および第３段差面１２３と略平行に形成される第１段差面１１１を備える。
【００２０】
また、放熱フィン１の絶縁部材３と接続する側とは反対側の径方向外側の端部には、図４に示すように嵌合溝１４および爪１５が形成される。
【００２１】
絶縁部材３は、中空円筒形状をなしており、一端には開口３１、他端には標準規格のねじ部３２が形成される。開口３１の縁部には放熱フィン１の規制部１２と係合する複数の係合部３３、および挿入部１１が挿入される挿入孔３４が形成される。絶縁部材３は、図８に示すように、ねじ部３２を金属から形成される導電接続部３２１にねじ結合し、導電接続部３２１と接続する。
【００２２】
放熱フィン１を絶縁部材３に取り付けるとき、複数の放熱フィン１の挿入部１１は絶縁部材３の係合部３３を押圧しながら挿入孔３４に挿入される（図６参照）。挿入部１１が挿入孔３４に挿入されると、図７に示すように、放熱フィン１の規制部１２の規制面１２１が対応する係合部３３に係合する。具体的には、規制面１２１は、係合部３３の爪３３１に係合する（図７参照）。これにより、絶縁部材３に対する放熱フィン１の軸方向の移動が規制される。また、挿入部１１を挿入孔３４に挿入すると、第１段差面１１１は挿入孔３４の縁部３４１に当接するとともに、第２段差面１２２は第１段差面１１１が縁部３４１を押圧する方向とは反対の方向に押圧するように支持部材２に当接する。
【００２３】
照明用ＬＥＤ支持装置５は、図１０および図１１に示すように、嵌合溝１４にリング４１が嵌合される。その後、リング４１に超音波ホットメルトによってカバー４２を接続されることにより、照明用ＬＥＤが完成する。
【００２４】
一実施形態による照明用ＬＥＤ支持装置５では、放熱フィンモジュール１０と絶縁部材３とを接続するとき、規制部１２の規制面１２１が係合部３３に係合し放熱フィンモジュール１０を支える。このとき、放熱フィンモジュール１０の放熱フィン１は、絶縁部材３に対して互いの力が作用する作用面としての規制面１２１で当接する。規制面１２１が当接する面積は、点で接触する場合の面積に比べて大きくなるため、放熱フィン１または絶縁部材３に作用する外力に対する耐久力が点で接触する場合に比べて大きくなる。これにより、絶縁部材３と放熱フィンモジュール１０との接続を確実に維持できる。
【００２５】
また、規制面１２１が係合部３３の爪３３１に係合することにより、絶縁部材３に対する放熱フィン１の軸方向の移動が規制される。さらに第１段差面１１１は挿入孔３４の縁部３４１に当接するとともに、第２段差面１２２は第１段差面１１１が縁部３４１を押圧する方向とは反対の方向に押圧するように支持部材２に当接する。これにより、絶縁部材３に対する放熱フィンモジュール１０の軸方向の移動を規制することができる。
【００２６】
照明用ＬＥＤ支持装置５では、複数の放熱フィン１が有する複数の挿入部１１が一度に絶縁部材３の係合部３３を押圧し、対応する絶縁部材３の挿入孔３４に挿入される。周方向に配置される複数の挿入部１１が同時に絶縁部材３の挿入孔３４に挿入されるため、放熱フィン１と絶縁部材３との周方向への回転移動が規制される。これにより、本考案の照明用ＬＥＤ支持装置５を用いるＬＥＤ照明装置は、絶縁部材３に対する放熱フィン１の相対回転による破損を防止することができる。
【００２７】
また、放熱フィン１を絶縁部材３に取り付けるとき、放熱フィン１の挿入部１１を絶縁部材３の挿入孔３４に挿入するだけで放熱フィンモジュール１０を絶縁部材３に確実に取り付けることができる。これにより、放熱フィンモジュール１０を絶縁部材３に迅速に取り付けることができる。
【００２８】
また、図９に示すように、複数の規制部１２が絶縁部材３の開口３１の形状に沿って環状に設けられるため、放熱フィン１の規制面１２１が絶縁部材３に当接する面積をさらに増加させ、放熱フィンモジュール１０と絶縁部材３との接続を確実に維持する。これにより、一点に集中する力を受けて放熱フィン１が変形をすることを防止することができる。
【００２９】
また、円弧形状の規制部１２を用いて絶縁部材３を囲むように係合部３３を配置することで、絶縁部材３の形状に合わせて結合することができるとともに、絶縁部材３と放熱フィンモジュール１０との相対回転を防止することができる。
【００３０】
（その他の実施形態）
（ａ）上述の実施形態では、複数の放熱フィンは支持部材の側面に設けた溝に挿入されるとした。しかしながら、支持部材に対する放熱フィンモジュールの組み付け方法は、これに限定されない。半田付けにより放熱フィンを支持部材に固定してもよい。また、放熱フィンを支持部材と一体に成形してもよい。
【００３１】
（ｂ）支持部材の形状は、図示する形状に限定されない。例えば、支持部材の断面をＨ型の管体とし、端面に形成される凹部に発光基板または発光ユニットを搭載してもよい。
【００３２】
（ｃ）上述の実施形態では、放熱フィンの径方向外側の端面には、カバー部が設けられている。しかしながら、放熱フィンの形状にはこれに限定されない。
【００３３】
（ｄ）上述の実施形態では、規制部のフィン部に対する屈曲の角度は、フィン部に対して９０°とした。しかしながら、規制部のフィン部に対する屈曲の角度はこれに限定されない。
【符号の説明】
【００３４】
１      ・・・放熱フィン、
２      ・・・支持部材、
３      ・・・絶縁部材、
５      ・・・照明用ＬＥＤ支持装置、
１０    ・・・放熱フィンモジュール、
１１    ・・・挿入部、
１１１  ・・・第１段差面、
１２    ・・・規制部、
１２１  ・・・規制面、
１２２  ・・・第２段差面、
１２３  ・・・第３段差面、
１３    ・・・カバー部、
１４    ・・・嵌合溝、
１５    ・・・爪、
１６    ・・・フィン部、
２１    ・・・端面、
２２    ・・・溝、
３１    ・・・開口、
３２    ・・・ねじ部、
３２１  ・・・導電接続部、
３３    ・・・係合部、
３３１  ・・・爪、
３４    ・・・挿入孔、
３４１  ・・・縁部、
４１    ・・・リング、
４２    ・・・カバー。
【図１】
0003178709.tif 000003
【図２】
0003178709.tif 000004
【図３】
0003178709.tif 000005
【図４】
0003178709.tif 000006
【図５】
0003178709.tif 000007
【図６】
0003178709.tif 000008
【図７】
0003178709.tif 000009
【図８】
0003178709.tif 000010
【図９】
0003178709.tif 000011
【図１０】
0003178709.tif 000012
【図１１】
0003178709.tif 000013
【図１２】
0003178709.tif 000014
【図１３】
0003178709.tif 000015